(57)【要約】【課題】組み立て性を向上させた手元ハンドル体を有する電気掃除機を提供することを目的とする。【解決手段】課題を解決するには、電気掃除機において、内部に電動送風機及び該電動送風機を制御する制御手段を設けた本体と、一端が前記本体に接続される吸引ホースと、前記吸引ホースの他端に取り付けられる手元ハンドル体を有し、手元ハンドル体は、吸引ホースと連通する管体と、管体から分岐した分岐部と、管体を覆うカバーと、分岐部に設けられた電動送風機の出力を操作する操作手段と、操作手段を構成する印刷配線基板と、印刷配線基板と制御手段を電気的に接続するリード線を有し、管体にはリード線を押えるリード線押え部が形成されているように構成すればよい。【選択図】図１
2015217141.tif 000002
【特許請求の範囲】
【請求項１】
内部に電動送風機及び該電動送風機を制御する制御手段を設けた本体と、一端が前記本体に接続される吸引ホースと、前記吸引ホースの他端に取り付けられる手元ハンドル体を有し、
前記手元ハンドル体は、前記吸引ホースと連通する管体と、前記管体から分岐した分岐部と、前記管体を覆うカバーと、前記分岐部に設けられた前記電動送風機の出力を操作する操作手段と、前記操作手段を構成する印刷配線基板と、前記印刷配線基板と前記制御手段を電気的に接続するリード線を有し、
前記管体には前記リード線を押えるリード線押え部が形成されていることを特徴とする電気掃除機。
【請求項２】
前記リード線押え部は、前記管体から上方に向けて突出する柱部と該柱部の上端から左右方向に突出する押え部を有し、
前記リード線は、前記管体と前記押え部の間に保持されることを特徴とする請求項１に記載の電気掃除機。
【請求項３】
前記カバーは、前記管体に取り付けられた状態において前記押え部を覆い、前記押え部と前記カバーは対向した位置関係となり、
前記カバーの外周面を把持部としたことを特徴とする請求項２に記載の電気掃除機。
【発明の詳細な説明】
【技術分野】
【０００１】
本発明は、手元ハンドル体を有する電気掃除機に関するものである。
【背景技術】
【０００２】
従来から電気掃除機において、塵埃を含む気流が流れる管体と、この管体から分岐して設けられる使用者が握る部位である把持部と、この把持部に設けられ電動送風機の出力を変更する操作部と、この操作部を構成し操作スイッチ等の電子部品が実装される印刷配線基板（以下、基板）を有する手元ハンドル体（手元パイプ）がある。
【０００３】
このような電気掃除機の手元ハンドル体は、基板から導出するリード線を管体の周囲に這わせて、管体の後端に接続されるホースに螺旋状に設けられたホース側リード線に接続することで、基板と本体に設けられた制御部と電気的に接続される。
これにより、操作スイッチを操作した際の信号が制御部に入力可能となり、また、床面から塵埃を吸い込む吸込口体の内部に設けられた回転ブラシを回転駆動するモータに本体から電力を供給可能となる。
そして、管体の外側をカバーで覆うことにより、リード線が外側から見えないように外観が形成されている（例えば、特許文献１参照）。
【先行技術文献】
【特許文献】
【０００４】
【特許文献１】特開２００７−２３６９７１号公報（図１）
【発明の概要】
【発明が解決しようとする課題】
【０００５】
しかしながら、従来の構成では、リード線を管体の周囲に這わせた状態で、管体にカバーを取り付ける必要があるため、組み立て性が悪い。特に、吸込口体にモータにて駆動する回転ブラシを設けた場合、少なくとも３本以上のリード線を使用することとなり、より管体の外側にカバーを取り付けることが難しくなるという課題がある。
【０００６】
本発明は、上記のような課題を解決する為になされたもので、組み立て性を向上させた手元ハンドル体を有する電気掃除機を提供することを目的とする。
【課題を解決するための手段】
【０００７】
上記の課題を解決するには、電気掃除機において、内部に電動送風機及び該電動送風機を制御する制御手段を設けた本体と、一端が前記本体に接続される吸引ホースと、前記吸引ホースの他端に取り付けられる手元ハンドル体を有し、手元ハンドル体は、吸引ホースと連通する管体と、管体から分岐した分岐部と、管体を覆うカバーと、分岐部に設けられた電動送風機の出力を操作する操作手段と、操作手段を構成する印刷配線基板と、印刷配線基板と制御手段を電気的に接続するリード線を有し、管体にはリード線を押えるリード線押え部が形成されているように構成すればよい。
【発明の効果】
【０００８】
本発明によれば、基板からホースに至るリード線を管体に保持し、カバーを管体に取り付ける際の組み立て性を向上させることが可能である手元ハンドル体を有する電気掃除機を得ることができる。
【図面の簡単な説明】
【０００９】
【図１】実施の形態に係る電気掃除機の全体斜視図
【図２】実施の形態に係る電気掃除機の塵埃接続体（吸込口体）からホースに至る部位の左側面図
【図３】実施の形態に係る電気掃除機の手元ハンドル体の左後方から見た斜視図
【図４】実施の形態に係る電気掃除機の手元ハンドル体の左側面図
【図５】実施の形態に係る電気掃除機の手元ハンドル体の縦断面図
【図６】実施の形態に係る電気掃除機の手元ハンドル体の分解斜視図１
【図７】実施の形態に係る電気掃除機の手元ハンドル体の分解斜視図２
【図８】実施の形態に係る電気掃除機の手元ハンドル体の左側面図（左側面カバーを外した状態）
【図９】実施の形態に係る電気掃除機の手元ハンドル体の斜視図（左側面カバー、左後側面カバーを外した状態）
【図１０】実施の形態に係る電気掃除機の手元ハンドル体の斜視図（左右後側面カバーを外した状態）
【図１１】（ａ）図４のＸ−Ｘ断面図、（ｂ）押え部４０ｄの位置を上方より見た図
【図１２】実施の形態に係る電気掃除機の手元ハンドル体を上方より見た図
【図１３】実施の形態に係る電気掃除機の使用形態を示す左側図面
【図１４】実施の形態に係る電気掃除機の使用形態を示す右側図面
【発明を実施するための形態】
【００１０】
（実施の形態）
以下、図１〜図１４を参照して実施の形態を説明する。
まず、図１〜図２を参照して、電気掃除機１について説明する。
図１は、実施の形態における電気掃除機１を示す斜視図である。図２は、吸込口体６からホース３に至る部位の側面図である。
【００１１】
図１〜図２に示すように、電気掃除機１は、本体（掃除機本体）２、ホース３、手元ハンドル体４、延長管５、吸込口体６を備える。
吸込口体６は、下向きに形成された開口から、床面上のごみ（塵埃）を空気と一緒に内部に取り込む部位である。この吸込口体６の内部には、床面から塵埃をかきだす回転ブラシ６ｂと、この回転ブラシを回転駆動するブラシモータ６ｃが設けられている。
【００１２】
そして、この吸込口体６の吸気側の端部には、次に説明する延長管５に接続する接続管６ａが設けられている。
また、ブラシモータ６ｃに電力を供給する電力線である第２のリード線Ｌ２は、後述する基板４６に接続されている。尚、第２のリード線Ｌ２は、手元ハンドル４、延長管５、吸込口体６のそれぞれの接続位置において、給電端子により電気的に接続されている。
【００１３】
次に延長管５は、後述する手元ハンドル体４に接続する集塵接続体の１つであり、全体として真直ぐな円筒状を呈する。延長管５の一端部は吸込口体６の継手部７０に接続し、他端部は手元ハンドル体４に接続する。
使用者は、延長管５に設けられたボタン５ａの操作を行うことにより、吸込口体６を延長管５から取り外すことができる。
【００１４】
延長管５は、吸気側の端部にブラシ５ｃを備える。このブラシ５ｃは、吸込口体６を外した状態で被清掃面に接触させて使用するもので、延長管５の吸気側の開口周辺に移動可能である。
使用者は、延長管５の排気側の端部に設けられた伸縮ボタン５ｂを操作することにより、延長管５を伸縮させることができる。
【００１５】
ここでは、手元ハンドル体４に接続される集塵接続体の例として、延長管５について説明したが、この他に、先端が窄んだ形状に構成され狭い部分の塵埃を吸い取りやすく構成されたノズルや、先端にブラシが植毛され隙間などの塵埃を書き出しやすく構成されたブラシ等も、集塵接続体である。
また、吸込口体６も、延長管５に取り付けることで、間接的に手元ハンドル体４に取り付けられることから集塵接続体である。
【００１６】
次に、手元ハンドル体４は、掃除を行う時に使用者が持つ部分であり、操作体となる部位である。使用者は、手元ハンドル体４を持ち、この手元ハンドル体４を操作して、集塵接続体を被清掃面に向けて落ちている塵埃を吸引する。
例えば、本実施の形態の場合、使用者は、手元ハンドル体４を操作して、延長管５に取り付けた吸込口体６の位置及び向きを変える。手元ハンドル体４の吸気側の端部（吸込み側開口４１）は、延長管５の排気側端部に接続する。
【００１７】
使用者は、手元ハンドル４に設けられた解除ボタン４ａを操作することにより、延長管５を手元ハンドル体４から取り外すことができる。手元ハンドル体４は、吸気側の端部に、延長管５を取り外した状態で使用するためのブラシ４００を備える。
尚、手元ハンドル体４には、後述する電動送風機１１の出力を操作する操作部Ｓが形成される。
【００１８】
次に、ホース３は、要部が、可撓性を備えた蛇腹状である中空の部材からなる。ホース３の吸気側の端部は、手元ハンドル体４に接続される。ホース３は、排気側の端部は、硬質の接続部３ａを備え、この接続部３ａが本体２に接続される。
本体２は、ホース３の接続部３ａが接続され、ごみを含む空気（含塵空気）からごみを分離する。この本体２は、後部に開口する排気口（図示せず）より、塵埃が取り除かれた空気（清浄空気）を排出する。空気から分離したごみは、本体２の内部に溜められる。
以上のように各部が接続されることで、吸込口体６や延長管５などの集塵接続体から、手元ハンドル体４、ホース３、そして、本体２へと至る一続きの風路Ｆが形成される。
【００１９】
次に、本体２は内部に、電動送風機１１、集塵部１２を備える。
電動送風機１１は、電気掃除機１に形成された風路Ｆに、吸込み側である集塵接続体から排気側である排気口に向けて本体２内部に流下する気流を発生させる。
この電動送風機１１が吸引動作を行うと、床面上のごみが空気と一緒に吸込口体６に吸い込まれる。吸込口体６に吸い込まれた含塵空気は、吸込口体６、延長管５、手元ハンドル体４、ホース３の各内部を通り、本体２に送られる。
【００２０】
集塵部１２は、本体２の内部に流入したごみを空気（気流）から分離する。集塵部１２は、空気から分離したごみを捕捉する。図１は、集塵部１２の一例として、紙パック式の分離装置を示している。集塵部１２として、サイクロン式の分離装置や他の方式の分離装置を採用してもよい。
【００２１】
また、本体２は、両側に大型の車輪１３を、下面に小型の車輪（図示せず）を備える。小型の車輪は、その向きを自在に変えることができるように取り付けられている。このため、本体２は、車輪１３及び小型の車輪が床面に接触した状態で向きを変えることができる。
【００２２】
次に、本実施の形態の要部である手元ハンドル体４について、図３〜図１３を参照して説明する。
図３〜図５を参照すると、手元ハンドル体４は、風路Ｆの一部を構成し基部となる管体４０と、この管体４０の上面から分岐するように設けられる分岐部４４と、管体４０と分岐部４４の外郭を被う各カバー４８（４８ａ、４８ｂ、４８ｃ、４８ｄ、４８ｅ）を有する。
管体４０は、吸気側開口４１から排気側方向に向けて直線的に伸び、中ほどの位置（曲がり位置４３）から下斜め後ろ方向に折れ曲がり排気側開口４２に向けて直線的に伸びる形状を成している。
【００２３】
管体４０の曲がり位置４３の後ろ側の上方には、分岐部４４が設けられる。
この分岐部４４は、管体４０の上面の分岐位置４５から上斜め後方に向けて延びる分岐前部４４ａと、この分岐前部４４ａの後ろ側から湾曲して下斜め後方に延び分岐後端４４ｃに至る分岐後部４４ｂから成り、分岐位置４５から分岐後端４４ｃに掛けてアーチ形状を成している。
尚、管体４０と分岐部４４は、樹脂成形により一体に形成されている。
【００２４】
そして、図５〜図７を参照すると、分岐前部４４ａの上面には、管体４０と分岐部４４の分岐している位置から分岐前部４４ａの後端に掛けて、左右一対の壁部４４ｅが形成されている。
そして、この左右の壁面４４ｅの間には、上面凹部４４ｇが形成される。この上面凹部４４ｇは、上方に向けて開口しており、凹部内部に、電動送風機のＯＮ／ＯＦＦや出力の変更を行う操作スイッチ４６ａや、手元ハンドル体４の動きや振動を検知するモーションセンサー４６ｂを実装した基板４６が設けられる。基板４６は操作部Ｓを構成する。
【００２５】
尚、基板４６には、ブラシモータ６ｃに接続する第２のリード線Ｌ２と、本体２に設けられた制御手段と電気的に接続する第１のリード線Ｌ１が接続されている。
基板４６から制御手段に接続する第１のリード線Ｌ１は、分岐部４４に形成された後方に向いて開口するリード線導出開口４４ｋ（以下、導出開口４４ｋ）から分岐部４４の外に導出され、管体４０の上面を後方に向けて延びる。
尚、第１のリード線Ｌ１は、操作部Ｓで操作されることにより基板４６から制御手段に発信する信号を送る信号線と、操作部Ｓ及びブラシモータ６ｃに電力を供給する電力線を含む。
【００２６】
また、左右の壁面４４ｇには、それぞれ、後述する上カバー４８ａの係合爪が係合する第１の係合開口４４ｈと、後述する左右カバー４８ｂ，４８ｃの係合爪４８２ｂ，４８２ｃが係合する第２の係合開口４４ｉが形成されている。
また、吸気側開口４１から分岐部４４に至る管体４０の上面には、吸気側開口４１に接続された集塵接続体を外す解除ボタン４ａが設けられる。
【００２７】
次に、図６〜図８を参照すると、管体４０の側面には、管体４０の伸びる方向に帯状に突出した管体リブ４０ｂが形成されている。この管体リブ４０ｂは、分岐部４４が接続する位置の下側に位置しており、管体４０の剛性を高めるためのものである。
また、分岐部４４の側面には、管体４０から分岐前部４４ａの端に向けて帯状に突出して伸びる分岐部リブ４４ｊが形成されている。この分岐部リブ４４ｊは、分岐部４４の剛性を高めるためのものである。
そして、排気側開口４２には、ホース３の開口内部に管体４０を挿入することにより、ホース３が接続する。
【００２８】
ここで、図７〜図１２を参照すると、分岐部４４より後ろ側に位置する管体４０の上面には、第１のリード線押え部４０ｄと第２のリード線押え部４０ｅが形成されている。
第１のリード線押え部４０ｄは、管体４０の上面から上方向に突出する柱部４０ｄ１と、柱部４０ｄ１の上端から左右方向に突出する押え部４０ｄ２を有している。つまり、リード線押え部４０ｄは、押え部４０ｄ２の位置で管体４０に対して直交する断面形状がＴ字形状となる。
また、管体４０の上面から押え部４０ｄ２の下面に至る隙間Ｃは、リード線の断面幅より大きく、この断面幅の２倍未満の大きさとなっている。つまりリード線押え部４０ｄは、リード線が上下に重なった状態で、隙間Ｃ内に入り込めない構成である。
【００２９】
第２のリード線押え部４０ｅは、管体４０の上面から上方向に突出し、上側が後方に伸びる形状を成しており、後方に向けて延びる第１のリード線Ｌ１を引っ掛けることで、管体４０の表面に沿って管体４０の周方向に  第１のリード線Ｌ１の延びる向きを変える位置となる。
【００３０】
次に、図６〜図７を参照すると、以上ように各部が構成された管体４０及び分岐部４４の外郭には、次の各カバー４８が取り付けられ手元ハンドル体４の外観を形成する。
カバー４８は、上カバー４８ａと、左側面カバー４８ｂと、右側面カバー４８ｃと、左後側面カバー４８ｄと、右後側面カバー４８ｅで構成されている。これらのカバーは、樹脂成形により形成されている。
【００３１】
まず、上カバー４８ａは、吸引側開口４１から分岐部４４の上面を被うカバーであり、解除ボタン４ａが臨むボタン開口４８１ａと、基板４６に実装された操作スイッチに対向する位置に操作スイッチ押圧部４８２ａが形成されている。
操作スイッチ押圧部４８２ａは、表面に電動送風機の出力を変化させる旨を意味する「矢印マーク」、「ＯＮ／ＯＦＦ」、「エコモード」等の表示がなされており、当該位置を使用者が押圧することで、対応する操作スイッチが押されて、制御手段に信号が発信される。制御手段はこれらの信号に基づき、電動送風機の出力を制御する。
【００３２】
このように構成された上カバー４８ａは、分岐部４４に形成された第１の係合開口４４ｈに係合爪４８３ａが係合する。
そして、上カバー４８ａに開口するねじ開口４８５ａに、上方よりねじ４８４ａを通して、分岐部４４の上面に形成されたねじ穴４４ｄにねじ止めすることにより、吸引側開口４１から分岐部４４の上面を被った状態で管体４０に取り付け固定される。
上カバー４８ａが上記の通り取り付けられた状態において、分岐後部４４ｂの下面４４１ｂと、この分岐後部４４ｂの上面を被う上カバー４８ａの上面４８６ａにより、使用者が握る位置となる第１の把持部４９ａが形成される。
【００３３】
次に、左側面カバー４８ｂは、管体４０の下面から左側面に至り、分岐前部４４ａの左側面を経て、分岐部４４の上面左側まで至る管体４０と分岐部４４を覆うカバーである。
この左側面カバー４８ｂの裏面には、複数の係合爪４８２ｂが設けられている。この係合爪４８２ｂが、管体４０の下面に設けられた管体係合開口４０ｃ、及び、分岐部４４に形成された第２の係合開口４４ｉに係合することにより、管体４０から分岐部４４に渡って取り付けられる。
【００３４】
この左側面カバー４８ｂは、管体４０の表面に取り付けられることから、管体４０の外面より左側面カバー４８ｂの厚みΔｄ１分、外側に突出した外郭を形成する。つまり、管体４０と左側面カバー４８ｂとの間に高さがΔｄ１の段差が形成される（図１３参照）。
【００３５】
ここで、左側面カバー４８ｂは、上カバー４８ａが分岐部４４に取り付けた後に取り付けられる。これにより、左側面カバー４８ｂの取り付け前に、第２の係合開口４４ｉから、基板４６の取り付け位置である凹部４４ｇを確認することができる。
つまり、第２の係合開口４４ｉは、基板４６が取り付けられたか否かを確認する開口として用いることができる。尚、この確認用の開口は、第２の係合開口４４ｉとは、別途形成しても良い。
【００３６】
次に、右側面カバー４８ｃは、管体４０の下面から右側面に至り、分岐前部４４ａの右側面を経て、分岐部４４の上面右側まで至る管体４０と分岐部４４を覆うカバーである。
この右側面カバー４８ｃの裏面には、複数の係合爪４８２ｃが設けられている。この係合爪４８２ｃが、管体４０の下面に設けられた管体係合開口４０ｃ、及び、分岐部４４に形成された第２の係合開口４４ｉに係合することにより、管体４０から分岐部４４に渡って取り付けられる。
【００３７】
この右側面カバー４８ｃは、管体４０の表面に取り付けられることから、管体４０の外面より右側面カバー４８ｃの厚みΔｄ１分、外側に突出した外郭を形成する。つまり、管体４０と右側面カバー４８ｃとの間に高さがΔｄ１の段差が形成される（図１１参照）。
【００３８】
ここで、右側面カバー４８ｃは、上カバー４８ａが分岐部４４に取り付けた後に取り付けられる。これにより、左側面カバー４８ｃの取り付け前に、第２の係合開口４４ｉから、基板４６の取り付け位置である凹部４４ｇを確認することができる。
つまり、第２の係合開口４４ｉは、基板４６が取り付けられたか否かを確認する開口として用いることができる。尚、この確認用の開口は、第２の係合開口４４ｉとは、別途形成しても良い。
【００３９】
以上の左側面カバー４８ｂと右側面カバー４８ｃは、互いに対称となる形状で構成されおり、これらを上記の通り取り付けることで、管体４０の下側と分岐部４４の上側の位置において、左側面カバー４８ｂと右側面カバー４８ｃが合わさる形状となっている。
従って、左右側面カバー４８ｂ，４８ｃが管体４０及び分岐部４４に取り付けられることで、管体４０及び分岐部４４の表面に形成された管体リブ４０ｂ及び分岐部４４を覆い隠し、手元ハンドル体４の一方の側面から他方の側面に連続的に至る外観意匠面を形成する。
【００４０】
以上の手元ハンドル体４において、上記の通り、管体４０及び分岐部４４と左右側面カバー４８ｂ，４８ｃを別部材にすることで、左右側面カバー４８ｂ，４８ｃに傷や汚れがついても、容易にカバーを交換することができる。
特に、手元ハンドル体４は後ろ端にホース３が設けられるので、手元ハンドル体４を落とした場合、床面と接触するのは左右側面カバー４８ｂ，４８ｃである可能性が高いことから、傷のついた側面カバーの交換のみで、傷やよごれに対応する修理が済む。
【００４１】
更に、左右側面カバー４８ｂ，４８ｃは、意匠面となる表面は急な曲面や角となる部位が無い緩やかな曲面であることから、フローマーク（成形不良）が起こり難い。従って、左右側面カバー４８ｂ，４８ｃを成形する際に、成形材料である樹脂に、意匠性を向上させる材料（例えば、光を反射して輝きを見せるメタリック材料（アルミ粉末）など）を練り込み成形する手法（以下、練りみ成形）を用いることができる。
これにより、成形時にフローマークが起こりやすい複雑な形状の部位を有する手元ハンドル体４であっても、樹脂成形で塗装に近い質感である外観意匠を得ることができる。
【００４２】
また、この左右側面カバー４９ｂ，４８ｃをエラストマー等の軟質部材で構成すれば、手元ハンドル体４を落下させたとき、手元ハンドル体４が受ける衝撃を和らげることができる。
【００４３】
また、図１０を参照すると、分岐部４４の上側の合わせ位置において、左側面カバー４８ｂと右側面カバー４８ｃの合わせ位置の下側には、分岐部４４の上面に形成されたねじ穴４４ｄが位置している。
つまり、左側面カバー４８ｂと右側面カバー４８ｃが上記の通り取り付けられることで、ねじ穴４４ｄ及びねじ穴に位置するねじ４８４ａを、外側から見えないように被い隠すことができる構成となっている。
【００４４】
次に、左後側面カバー４８ｄは、排気側開口４２の後ろ側から分岐位置４５に至る部分を左方向から被うカバーである。また、右後側面カバー４８ｆは、排気側開口４２の後ろ側から分岐位置４５に至る部分を右方向から被うカバーである。
これら左後側面カバー４８ｄと右後側面カバー４８ｆは、互いに対称となる形状で構成されている。そして、左後側面カバー４８ｄと右後側面カバー４８ｆは、ホース３の内部に排気側開口４２を挿入して管体４０にホース３を取り付けた状態で、管体４０を左右方向から挟み込み、管体４０に取り付けられる。
【００４５】
ここで、図７〜図１１（図３の押え部４０の位置であるＸ−Ｘ断面図）を参照すると、導出開口４４ｋから分岐部４４の外部に導出された第１のリード線Ｌ１は、管体４０の上面を後方に向けて延びている。
このとき、第１のリード線Ｌ１は、第１のリード線押え部４０ｄの押え部４０ｄ２と管体４０の間の位置である隙間Ｃを通して設けられている。つまり、第１のリード線Ｌ１が管体４０から離れないように、押え部４０ｄ２が第１のリード線Ｌ１を押えている。
そして、第１のリード線Ｌ１は、第２のリード線押え部４０ｅで向きを変え、ホース３に設けられたホース側リード線（図示せず）に接続して、第１のリード線Ｌ１はホース側リード線を介して、制御手段に電気的に接続している。
【００４６】
このように、第１のリード線Ｌ１が管体４０の表面に保持された状態で、左後側面カバー４８ｄと右後側面カバー４８ｆは、第１のリード線押え部４０ｄと第１のリード線Ｌ１も含めて管体４０を覆う。
つまり、第１のリード線押え部４０ｄが第１のリード線Ｌ１を管体４０の表面に押えることで、第１のリード線Ｌ１の浮き上がりを抑止することができる。
【００４７】
これにより、管体４０へ左後側面カバー４８ｄと右後側面カバー４８ｆを取り付ける際に、両カバーの間に第１のリード線Ｌ１を噛み込み難くすることができ、両カバーの取り付け作業の作業性を向上させることができる。
尚、図１０〜図１１に示すように、管体４０に両カバー４８ｄ，４８ｆを取り付けた状態において、第１のリード線押え部４０ｄと両カバー４８ｄ，４８ｆとの間には、若干のクリアランスを空けた状態で対向している。この両カバー４８ｄ、４８ｆの外周面は、後述するように第２の把持部４９ｂが形成される。
【００４８】
上記の状態で、左後側面カバー４８ｄと右後側面カバー４８ｆは、左右方向から合わさり係合することで、筒状のホース押さえ部４８ｄｆと、この筒状のホース押さえ部４８ｄｆから前方に延びる第１の接続部４８ｄｆａと、ホース押さえ部４８ｄｆから後方に伸びる第２の接続部４８ｄｆｂが形成される。
【００４９】
ホース３は、ホース押さえ部４８ｄｆと管体４０に挟み込まれて、管体４０から外れないように固定される。
また、第１の接続部４８ｄｆａは、管体４０に形成された分岐部４５から管体４０の排気側開口４２の縁に至る凹部４０ａに入り込み固定され、表面が管体４０の外面と連続的に滑らかにつながる。
また、第２の接続部４８ｄｆｂは、分岐部４４の分岐後端４４ｃを、左後側面カバー４８ｄと右後側面カバー４８ｆで左右方向から挟み込み、分岐部４４と接続する。
【００５０】
また、第１の接続部４８ｄｆａが取り付けられた管体４０と第１の接続部４８ｄｆａで構成される部位の外径は、ホース押さえ部４８ｄｆの外径より小さいことから、両方の部位との間で段差Δｄ２が形成される。
尚、ホース押さえ部４８ｄｆの前側を窄む形状（窄み部４８ｄｆｃ）とすることで、管体４０と第１の接続部４８ｄｆａで構成される部位とホース押さえ部４８ｄｆとの外径の差から生じる段差Δｄ２をなめらかにつないでいる（図１２参照）。
【００５１】
このように構成された手元ハンドル体４の分岐位置４５の近傍には、使用者が握る位置となる第２の把持部４９ｂが形成される。この第２の把持部４９ｂは、手元ハンドル体４の左右側面カバー４８ｂ，４８ｃの後ろ側からホース押さえ部４８ｄｆに至る部位である（図１網掛け部分）。
【００５２】
このように、手元ハンドル体４には、第１の把持部４９ａと第２の把持部４９ｂが設けられる。
第１の把持部は管体４０から離れて位置しているので、集塵接続体が設けられた手元ハンドル体４の操作を軽い力で行うことができる。更に、第２の把持部は管体４０に近い位置に設けられているので、管体４０に取り付けられる集塵接続体に、より近い位置で操作を行うことができ、集塵接続体を塵埃が落ちている位置に合わせやすい。
【００５３】
更に、図１２〜図１４を参照すると、上記のように第２の把持部４９ｂの周囲を構成することで、使用者が第２の把持部４９ｂを握った状態で、手元ハンドル体４を前方に押したとき、左右側面カバー４８ｂ，４８ｃと管体４０との間には、段差Δｄ１が形成されているので、握った指が左右側面カバー４８ｂ，４８ｃの後面４８１ｂ，４８１ｃに接触することで、前方へのストッパーとなる。
【００５４】
特に、左右側面カバー４８ｂ，４８ｃの後面４８１ｂ，４８１ｃは、管体４０に対して後方に傾く斜め形状となっているので、使用者が第２の把持部４９ｂを握った際に、指と後面４８１ｂ，４８１ｃが面で接触しやすい。これにより、手からの力を手元ハンドル体４にあずけやすく、操作がしやすい。
【００５５】
更に、使用者が第２の把持部４９ｂを握った状態で、手元ハンドル体４を後方に引くとき、ホース押さえ部４８ｄｆと第２の把持部４９ｂである管体４０との間には、段差Δｄ２が形成されているので、手がホース押さえ部４８ｄｆ（窄み部４８ｄｆｃ）に接触して、後方へのストッパーとなる。
【００５６】
更に、第２の把持部４９ｂは分岐位置４５の近傍に位置しているので、使用者が第２の把持部４９ｂを握った際に、管体４０と分岐部４４の隙間の位置に手が入ることになる。これにより、分岐部４４の下面が手の上面を保持することができ、手元ハンドル体４の操作がよりしやすくなる。
【００５７】
更に、管体４０に両カバー４８ｄ，４８ｆを取り付けた状態において、第１のリード線押え部４０ｄと両カバー４８ｄ，４８ｆとの間には、若干のクリアランスを空けた状態で対向している。
これにより、第２の把持部４９ｂに力が加わり両カバー４８ｄ，４８ｆが撓んでも、両カバー４８ｄ，４８ｆを第１のリード線押え部４０ｄが受ける位置関係となっており、第１のリード線がカバー４８ｄ，４８ｆに強く押されない。
【００５８】
以上、本実施の形態において、各部の位置関係や前後上下左右の向きは、手元ハンドル体４を、吸気側開口４１から曲がり位置４３までの管体４０を水平の状態（図４の状態）にして、吸気側開口４１を前方、排気側開口４２を後方として説明している。
【符号の説明】
【００５９】
１  電気掃除機、２  本体、３  ホース、４  手元ハンドル体、５  延長管（集塵接続体）、６  吸込口体、４０  管体、４１  吸気側開口、４２  排気側開口、４４  分岐部、４５  分岐位置、４６  基板、４８  カバー、４９ａ  第１の把持部、４９ｂ  第２の把持部、Ｌ  開口直線。
【図１】
2015217141.tif 000003
【図２】
2015217141.tif 000004
【図３】
2015217141.tif 000005
【図４】
2015217141.tif 000006
【図５】
2015217141.tif 000007
【図６】
2015217141.tif 000008
【図７】
2015217141.tif 000009
【図８】
2015217141.tif 000010
【図９】
2015217141.tif 000011
【図１０】
2015217141.tif 000012
【図１１】
2015217141.tif 000013
【図１２】
2015217141.tif 000014
【図１３】
2015217141.tif 000015
【図１４】
2015217141.tif 000016